(57)【要約】  【課題】  被調理物を収納する収納体を調理器本体から引き出した場合に、被調理物を出し入れするための開口部が実質的に広げられて被調理物の出し入れが容易となる加熱調理器を提供する。  【解決手段】  収納体１３が調理器本体１０から引き出された場合、開閉扉１２の移動に伴って第１ラックギア２１が移動し、第１ラックギア２１の移動に従って第１ピニオンギア２２が回転し、第１ピニオンギア２２の回転に従ってコグドベルト２５が回転する。また、コグドベルト２５の回転に従って第１中間ギア２４が回転し、第１中間ギア２４の回転に従って第２中間ギア２６が回転し、第２中間ギア２６の回転に従って第２ピニオンギア２３が回転する。更に、第２ピニオンギア２３の回転に従って第２ラックギア２０が移動し、第２ラックギア２０が取り付けられた操作パネル１１は調理器本体１０の内部に嵌入される。【選択図】      図３
2006300491.tif 000002
【特許請求の範囲】
【請求項１】
筺状の調理器本体と、該調理器本体の一側面の一部をなす開閉扉を有しており、前記調理器本体に引き出し可能に取り付けられ、被調理物を収納する収納体とを備える加熱調理器において、
前記開閉扉の上方に位置する前記調理器本体の前記一側面の一部又は全部が、前記調理器本体に対して嵌入可能な可動体として構成されていることを特徴とする加熱調理器。
【請求項２】
前記開閉扉の表面は、前記収納体が前記調理器本体に収納された場合に前記調理器本体から突出している前記可動体の表面と同一平面になることを特徴とする請求項１に記載の加熱調理器。
【請求項３】
前記可動体は、前記収納体の開閉に連動して前記調理器本体に対して嵌入／突出するように構成してあることを特徴とする請求項１又は２に記載の加熱調理器。
【請求項４】
前記収納体は前記調理器本体の奥行方向に突設された第１ラックギアを有し、
前記可動体は前記調理器本体の奥行方向に突設された第２ラックギアを有し、
前記調理器本体は、前記第１ラックギアに噛合する第１ピニオンギアと、前記第２ラックギアに噛合する第２ピニオンギアと、前記第１ラックギアの回転を前記第２ラックギアに伝動する伝動機構とを有し、
第１ラックギア、第２ラックギア、第１ピニオンギア、第２ピニオンギア及び前記伝動機構は、前記収納体が前記調理器本体から最大限に引き出された場合に前記可動体の表面を、前記開閉扉を有する前記調理器本体の前記一側面の表面と同一平面にするように構成してあることを特徴とする請求項３に記載の加熱調理器。
【請求項５】
前記可動体には、前記調理器本体を操作するための操作部及び／又は表示部が設けられていることを特徴とする請求項１乃至４のいずれかひとつに記載の加熱調理器。
【発明の詳細な説明】
【技術分野】
【０００１】
本発明は、被調理物を収納する収納体が調理器本体に引き出し可能に取り付けられた加熱調理器に関する。
【背景技術】
【０００２】
従来の加熱調理器の例として、加熱室内の被調理物を載置する載置台を調理器本体に引き出し可能に取り付けた構造の加熱調理器が特許文献１乃至３に開示されている。特許文献１に記載された調理器は、加熱室内の被調理物を載置する載置台に開閉扉が取り付けられた引き出し体を調理器本体からスライドさせることにより被調理物を加熱室から出し入れするように構成されている。特許文献２に記載された調理器は、引き出し体が調理器本体から引き出されたことを検出手段によって検出し、引き出し体が調理器本体から引き出された場合に、引き出された引き出し体によって調理器本体が傾くことを防止するように構成されている。
【０００３】
特許文献３に記載された調理器は、調理器本体に引き出し可能に取り付けられた加熱容器と調理器本体に設けられた蓋部とにより加熱室を構成しており、加熱容器の開口周縁部と該開口周縁部に対向する蓋部との間にチョーク溝を設けることによって電波の漏洩を防止するように構成されている。上述したように、被調理物を載置する載置台が調理器本体に引き出し可能に取り付けられた加熱調理器では、載置台が調理器本体から引き出されるので、多量の被調理物を安定して加熱室から出し入れすることができるという利点がある。
【０００４】
また、特許文献４には、調理器を操作するための操作部が調理器本体に収納可能に構成された電気調理器が開示されている。このような電気調理器では、調理器を使用しない場合には操作部を調理器本体に収納しておくことにより台所の美観を損なうことがない。また、調理器を使用する際に操作部を調理器本体から操作し易い角度まで引き出すことにより使い勝手を向上させることができる。
【特許文献１】特開平０３−０４５８２０号公報
【特許文献２】特開平０６−１０９２５７号公報
【特許文献３】特開平１１−２３７０５３号公報
【特許文献４】特開昭６１−１２５５２９号公報
【発明の開示】
【発明が解決しようとする課題】
【０００５】
図８は従来の一般的な加熱調理器の外観斜視図である。なお、図８（ａ）には被調理物を収納する収納体が調理器本体に収納されている状態を、図８（ｂ）には収納体が調理器本体から引き出されている状態をそれぞれ示している。従来の引き出し式の加熱調理器８は、筺状の調理器本体８０の一側面（前面）に開口部８０ａを有する加熱室を有しており、開口部８０ａから被調理物を出し入れするための収納体８３が調理器本体８０に引き出し可能に嵌め込まれる状態で備えられている。収納体８３は、調理器本体８０に収納された場合に開口部８０ａの蓋となると共に、調理器本体８０の前面の一部をなす開閉扉８２を有している。
【０００６】
このような加熱調理器８は、操作性を向上させるために、図８（ａ）に示すように、収納体８３を調理器本体８０に収納した状態において開閉扉８２の直上に位置するように操作パネル８１が調理器本体８０の前面に取り付けられている。また、加熱調理器８は、デザイン性を向上させるために、収納体８３を調理器本体８０に収納した状態において開閉扉８２の前面と操作パネル８１の前面とが同一平面上に配置される、即ち面一になるように構成されることが多い。
【０００７】
上述した構成の加熱調理器８において収納体８３を調理器本体８０から引き出した場合、図８（ｂ）に示すように、収納体８３に収納されている被調理物を出し入れするための開口部が、収納体８３の上方に取り付けられた操作パネル８１によって実質的に狭められていた。従って、被調理物を水平に保った状態での収納体８３からの出し入れが困難となり、引き出し式の収納体８３を有効に活用しきれないという問題を有している。また、特許文献１乃至３では、被調理物を引き出し体（収納体）から出し入れするための開口部をより大きくするための構造については開示されておらず、被調理物を出し入れするための開口部をより大きくすることが要望されている。
【０００８】
本発明は斯かる事情に鑑みてなされたものであり、その主たる目的とするところは、被調理物を収納する収納体を調理器本体から引き出した場合に、被調理物を出し入れするための開口部が実質的に広げられて被調理物の出し入れが容易となる加熱調理器を提供することにある。
【０００９】
本発明の他の目的は、上記目的を実現すると共に、収納体を調理器本体に収納した場合には美観を整えることが可能な加熱調理器を提供することにある。
【課題を解決するための手段】
【００１０】
本発明に係る加熱調理器は、筺状の調理器本体と、該調理器本体の一側面の一部をなす開閉扉を有しており、前記調理器本体に引き出し可能に取り付けられ、被調理物を収納する収納体とを備える加熱調理器において、前記開閉扉の上方に位置する前記調理器本体の前記一側面の一部又は全部が、前記調理器本体に対して嵌入可能な可動体として構成されていることを特徴とする。
【００１１】
上述のような本発明では、調理器本体の一側面の一部をなす開閉扉を有し、被調理物を収納する収納体が調理器本体に引き出し可能に取り付けられた加熱調理器において、開閉扉の上方に位置する調理器本体の前記一側面の一部又は全部が、調理器本体に対して嵌入可能な可動体である。よって、収納体を調理器本体から引き出した場合に可動体を調理器本体内に嵌入することにより被調理物を出し入れするための開口部が実質的に広がる。
【００１２】
本発明に係る加熱調理器は、前記開閉扉の表面は、前記収納体が前記調理器本体に収納された場合に前記調理器本体から突出している前記可動体の表面と同一平面になることを特徴とする。
【００１３】
上述のような本発明では、収納体が調理器本体に収納された場合に収納体の開閉扉の表面が、調理器本体から突出している可動体の表面と同一平面上に配置されることにより、収納体を収納した状態での美観が整えられる。
【００１４】
本発明に係る加熱調理器は、前記可動体は、前記収納体の開閉に連動して前記調理器本体に対して嵌入／突出するように構成してあることを特徴とする。
【００１５】
上述のような本発明では、調理器本体に対して嵌入可能な可動体が収納体の開閉に連動して調理器本体に対して嵌入／突出されることにより、収納体を調理器本体から引き出した場合に可動体が調理器本体内に嵌入されるので被調理物を出し入れするための開口部を効率よく広げることが可能となる。
【００１６】
本発明に係る加熱調理器は、前記収納体は前記調理器本体の奥行方向に突設された第１ラックギアを有し、前記可動体は前記調理器本体の奥行方向に突設された第２ラックギアを有し、前記調理器本体は、前記第１ラックギアに噛合する第１ピニオンギアと、前記第２ラックギアに噛合する第２ピニオンギアと、前記第１ラックギアの回転を前記第２ラックギアに伝動する伝動機構とを有し、第１ラックギア、第２ラックギア、第１ピニオンギア、第２ピニオンギア及び前記伝動機構は、前記収納体が前記調理器本体から最大限に引き出された場合に前記可動体の表面を、前記開閉扉を有する前記調理器本体の前記一側面の表面と同一平面にするように構成してあることを特徴とする。
【００１７】
上述のような本発明では、収納体に突設された第１ラックギア、第１ラックギアに噛合する第１ピニオンギア、可動体に突設された第２ラックギア、第２ラックギアに噛合する第２ピニオンギア、第１ラックギアの回転を第２ラックギアに伝動する伝動機構を、収納体が調理器本体から最大限に引き出された場合に可動体の表面が、開閉扉を有する調理器本体の一側面の表面と同一平面になるように構成してある。よって、単純なラックピニオン構造によって収納体の開閉に連動して可動体が調理器本体に対して嵌入／突出されると共に、収納体を最大限に引き出した場合に被調理物を出し入れするための開口部が実質的に最大限に広がる。
【００１８】
本発明に係る加熱調理器は、前記可動体には、前記調理器本体を操作するための操作部及び／又は表示部が設けられていることを特徴とする。
【００１９】
上述のような本発明では、調理器本体に対して嵌入可能な可動体に調理器本体を操作するための操作部又は表示部が設けられていることにより、収納体が調理器本体に収納された状態での操作性を向上させると共に、収納体が引き出された場合には被調理物を出し入れするための開口部が実質的に広がる。
【発明の効果】
【００２０】
本発明によれば、収納体を調理器本体から引き出した場合に、従来は被調理物を出し入れするための開口部を実質的に狭めていた部分を調理器本体内に嵌入させることにより被調理物を出し入れするための開口部を実質的に広げることができるので、被調理物の出し入れが容易となる。また、収納体が調理器本体に収納された場合、収納体の開閉扉が調理器本体の一側面の一部をなすことによって美観を保つことができる。
【００２１】
本発明によれば、収納体が調理器本体に収納された場合に収納体の開閉扉の表面が、調理器本体から突出している可動体の表面と同一平面上に配置されることにより、例えば不使用時において収納体を収納した状態での調理器自体の美観を整えることができる。
【００２２】
本発明によれば、調理器本体内に嵌入可能な可動体が収納体の開閉に連動して調理器本体に対して嵌入／突出されることにより、収納体を調理器本体から引き出した場合に可動体が調理器本体内に嵌入されるので被調理物を出し入れするための開口部を実質的に効率よく広げることができ、被調理物の出し入れが容易となる。また、収納体を調理器本体に収納した場合に可動体の表面が調理器本体から突出している開閉扉の表面と同一平面になるので調理器自体の美観を保つことができる。
【００２３】
本発明によれば、調理器本体に対して嵌入可能な可動体を単純なラックピニオン構造によって収納体の開閉に連動させて調理器本体に対して嵌入／突出させることができる。また、収納体を最大限に引き出した場合に被調理物を出し入れするための開口部を実質的に最大限に広げることができ、効率がよい。
【００２４】
本発明によれば、収納体が調理器本体に収納された状態での操作性を向上させることができる。また、例えば被調理物の出し入れを行なうために収納体が引き出された場合には被調理物を出し入れするための開口部を実質的に広げることができる。
【発明を実施するための最良の形態】
【００２５】
以下に、本発明に係る加熱調理器をその実施形態を示す図面に基づいて詳述する。図１は本発明に係る加熱調理器の外観斜視図、図２は本発明に係る加熱調理器の縦断面図である。本実施形態の加熱調理器１は被調理物を例えばマイクロ波で加熱する電子レンジである。加熱調理器１は筺状の調理器本体１０を備えており、調理器本体１０は一側面（前面）に設けられた開口部から被調理物を入れて調理するための加熱室１４を有している。また、調理器本体１０には、被調理物１５を収納し、収納した被調理物１５を前記開口部から加熱室１４へ出し入れするための収納体１３が引き出し可能に取り付けられている。
【００２６】
収納体１３は被調理物１５を載置する載置板と被調理物１５を載置板上に収納するための周壁板とを有しており、載置板の底面の適宜位置に、収納体１３の加熱室１４への出し入れを容易とするための車輪１３ａが設けられている。また、収納体１３は、載置された被調理物１５を加熱室１４に収納した場合に加熱室１４の蓋となる開閉扉１２を有している。図１及び図２には収納体１３が調理器本体１０に収納されている状態を示している。収納体１３が調理器本体１０に収納された場合、収納体１３の開閉扉１２は調理器本体１０の前面の一部となる。
【００２７】
また、調理器本体１０に収納された状態の収納体１３の開閉扉１２の直上の位置になるように操作パネル１１が調理器本体１０に設けられており、収納体１３が調理器本体１０に収納された状態での操作性を向上させている。なお、操作パネル１１には、ユーザが加熱調理器１を操作するための各種のキーを有する操作部１１ａと、ユーザに通知すべき各種の情報を表示する表示部１１ｂとが設けられている。また、図２に示すように、調理器本体１０に収納された状態の収納体１３の開閉扉１２の前面と操作パネル１１の前面とが同一平面上に配置される、即ち面一になるように構成することによって、加熱調理器１の美観を整えてデザイン性を向上させている。
【００２８】
ここで、本実施形態の加熱調理器１においては、調理器本体１０から引き出された状態の収納体１３の被調理物１５の出し入れ口の上方側に位置する操作パネル１１が調理器本体１０内に嵌入可能な可動体として構成されている。以下に、操作パネル１１の可動構造について説明する。図３及び図４は操作パネル１１の可動構造を示す模式図であり、図３には加熱調理器１を右側から見た側断面図を、図４には加熱調理器１を上方から見た平断面図をそれぞれ示している。なお、以下に示す可動構造は一例でありこれに限るものではない。
【００２９】
開閉扉１２の調理器本体１０側の面の下端部寄りの左右方向中央部には、直線状の第１ラックギア２１が調理器本体１０の奥側へ向かって突設される状態で固定されている。これにより、第１ラックギア２１は、収納体１３の開閉に従って加熱室１４の下方において左右方向の中央部を調理器本体１０の奥行方向に沿って往復移動する。
【００３０】
また、調理器本体１０の内側の例えば上端部寄りの左右方向両端部には、適宜の位置に設けられた保持部材によって調理器本体１０の奥行方向に摺動可能に支持された第２ラックギア２０，２０がそれぞれ設けられている。そして、これらの第２ラックギア２０，２０それぞれの一端部が操作パネル１１の調理器本体１０側の面の上端部寄りの左右方向両端部にそれぞれ固定されている。従って、操作パネル１１の調理器本体１０側の面の上端部寄りの左右方向両端部それぞれには第２ラックギア２０，２０が調理器本体１０の奥側に向かって突設される状態で固定されていることになる。
【００３１】
操作パネル１１から突設された第２ラックギア２０，２０にはそれぞれ調理器本体１０に対して適宜の位置に軸支された第２ピニオンギア２３，２３が噛合されており、開閉扉１２から突設された第１ラックギア２１には調理器本体１０に対して適宜の位置に軸支された第１ピニオンギア２２が噛合されており、それぞれがラックアンドピニオン構造に構成されている。なお、第１ピニオンギア２２は、開閉扉１２の開閉に伴う第１ラックギア２１の移動を第２ラックギア２０，２０へ伝達するために、開閉扉１２の左右方向と同程度の長さを有している。また、第２ピニオンギア２３，２３にはそれぞれ調理器本体１０に対して適宜の位置に軸支された第２中間ギア２６，２６が噛合されており、第２中間ギア２６，２６には更にそれぞれ調理器本体１０に対して適宜の位置に軸支された第１中間ギア２４，２４が噛合されている。更に、第１中間ギア２４，２４と第１ピニオンギア２２の両端部分との間に各ギアに噛合するコグドベルト２５，２５がそれぞれ張架されている。
【００３２】
図５及び図６は収納体１３が調理器本体１０から引き出された状態での操作パネル１１の可動構造を示す模式図であり、図５には加熱調理器１を右側から見た右側断面図を、図６には加熱調理器１を上方から見た平断面図をそれぞれ示している。上述した構造により、白抜き矢符Ａで示す方向に収納体１３が調理器本体１０から引き出された場合、開閉扉１２の移動に伴って第１ラックギア２１が白抜き矢符Ａで示す方向に移動する。また、第１ラックギア２１の移動に従って第１ピニオンギア２２が図５において時計回りに回転し、第１ピニオンギア２２の回転に従ってコグドベルト２５，２５が矢符ａで示す方向にそれぞれ回転する。
【００３３】
また、コグドベルト２５，２５の回転に従って第１中間ギア２４，２４が図５において時計回りにそれぞれ回転し、第１中間ギア２４，２４の回転に従って第２中間ギア２６，２６が図５において反時計回りにそれぞれ回転する。更に、第２中間ギア２６，２６の回転に従って第２ピニオンギア２３，２３が図５において時計回りにそれぞれ回転し、第２ピニオンギア２３，２３の回転に従って第２ラックギア２０，２０が矢符ｂで示す方向にそれぞれ移動する。これにより、第２ラックギア２０，２０が突設された操作パネル１１は白抜き矢符Ｂで示す方向に移動して調理器本体１０の内部に嵌入する。
【００３４】
一方、収納体１３が調理器本体１０内に押し込まれた場合、開閉扉１２の移動に伴って第１ラックギア２１が白抜き矢符Ａで示す方向と逆の方向に移動し、第１ラックギア２１の移動に従って第１ピニオンギア２２が反時計回りに回転し、第１ピニオンギア２２の回転に従ってコグドベルト２５，２５が矢符ａで示す方向と逆の方向にそれぞれ回転する。また、コグドベルト２５，２５の回転に従って第１中間ギア２４，２４が反時計回りにそれぞれ回転し、第１中間ギア２４，２４の回転に従って第２中間ギア２６，２６が時計回りにそれぞれ回転する。更に、第２中間ギア２６，２６の回転に従って第２ピニオンギア２３，２３が反時計回りにそれぞれ回転し、第２ピニオンギア２３，２３の回転に従って第２ラックギア２０，２０が矢符ｂで示す方向と逆の方向にそれぞれ移動する。これにより、第２ラックギア２０，２０が突設された操作パネル１１は白抜き矢符Ｂで示す方向と逆の方向に移動して調理器本体１０から突出する。
【００３５】
このように、収納体１３の調理器本体１０に対する開閉による第１ラックギア２１の移動を、第１ピニオンギア２２、コグドベルト２５，２５、第１中間ギア２４，２４、第２中間ギア２６，２６、第２ピニオンギア２３，２３を介して第２ラックギア２０，２０に伝達することにより、収納体１３の開閉に連動して操作パネル１１を調理器本体１０に対して嵌入／突出させることができる。なお、収納体１３が調理器本体１０から最大限に引き出された場合に、操作パネル１１の前面が調理器本体１０の前面と面一になる位置まで操作パネル１１を調理器本体１０内に嵌入できるギア比によって第１ラックギア２１、第２ラックギア２０，２０、第１ピニオンギア２２、第２ピニオンギア２３，２３、第１中間ギア２４，２４及び第２中間ギア２６，２６を構成した場合には、調理器本体１０から引き出された収納体１３の被調理物１５を出し入れするための開口部を効率よく広げることができる。
【００３６】
図７は本発明に係る加熱調理器１の外観斜視図であり、収納体１３を調理器本体１０から引き出した状態を示している。なお、この図７には操作パネル１１の可動構造の詳細については図示していない。上述したように収納体１３を調理器本体１０から引き出した場合に操作パネル１１が調理器本体１０内に嵌入することにより、図８（ｂ）に示したように従来では被調理物１５を出し入れするための開口部を実質的に狭めていた操作パネル１１を調理器本体１０内に嵌入させることができる。これにより、前記開口部を実質的に広げることができ、被調理物１５の出し入れが容易となる。逆に、前記開口部を実質的に従来と同一の大きさとする場合には被調理物１５を出し入れする際の収納体１３の引き出し距離を短縮することができるので加熱調理器１の使用に要する台所のスペースを縮小することができる。
【００３７】
上述した実施形態では、調理器本体１０から突出して設けられた操作パネル１１の全体が調理器本体１０に嵌入する構成について説明したが、例えば操作パネル１１の一部が調理器本体１０に嵌入する構成とすることもできる。具体的には、操作パネル１１の内の調理器本体１０から引き出された収納体１３の被調理物１５の出し入れ口を狭める位置に配置される部分を調理器本体１０に嵌入させるようにすればよい。
【００３８】
また、上述した実施形態では、収納体１３の開閉に連動させて操作パネル１１を調理器本体１０に対して嵌入／突出する構成について説明したが、収納体１３の開閉に連動させずに単に操作パネル１１を調理器本体１０に嵌入できるように構成してもよい。例えば操作パネル１１を調理器本体１０に嵌入させるための操作ボタンを設け、ユーザがこの操作ボタンを操作した場合に操作パネル１１を調理器本体１０に嵌入させるようにしてもよい。更に、上述した実施形態では、第１中間ギア２４，２４と第１ピニオンギア２２の両端部分とにそれぞれコグドベルト２５，２５を張架した構成を例としたが、例えば各ギアの軸にプーリーを取り付け、歯が付いていない通常のベルトをプーリーに張架する構成としてもよい。
【図面の簡単な説明】
【００３９】
【図１】本発明に係る加熱調理器の外観斜視図である。
【図２】本発明に係る加熱調理器の縦断面図である。
【図３】操作パネルの可動構造を示す模式図である。
【図４】操作パネルの可動構造を示す模式図である。
【図５】操作パネルの可動構造を示す模式図である。
【図６】操作パネルの可動構造を示す模式図である。
【図７】本発明に係る加熱調理器の外観斜視図である。
【図８】従来の加熱調理器の外観斜視図である。
【符号の説明】
【００４０】
１  加熱調理器
１０  調理器本体
１１  操作パネル（可動体）
１１ａ  操作部
１１ｂ  表示部
１２  開閉扉
１３  収納体
２０  第２ラックギア
２１  第１ラックギア
２２  第１ピニオンギア
２３  第２ピニオンギア
【図１】
2006300491.tif 000003
【図２】
2006300491.tif 000004
【図３】
2006300491.tif 000005
【図４】
2006300491.tif 000006
【図５】
2006300491.tif 000007
【図６】
2006300491.tif 000008
【図７】
2006300491.tif 000009
【図８】
2006300491.tif 000010